(57)【要約】【課題】  磁気部材の組み立て及び分解を可能とする表示部を有するノートパソコンを提供する。【解決手段】  ノートパソコンは後部ケースと、前面フレームと、表示パネルと、少なくとも１つの磁気部材と、を含む。後部ケースと前面フレームとは互いに組み合わされ、表示パネルを内部に配置するための収納空間が構成される。磁気部材は後部ケース及び／または前面フレーム上に設けられ、磁気部材の磁力によって引き付けられ、後部ケースと前面フレームとが組み合わせられるため、容易に分解できる。【選択図】図３
2014134757.tif 000002
【特許請求の範囲】
【請求項１】
後部ケースと、
前記後部ケースと互いに組み合わされ、内部に収納空間を構成する前面フレームと、
前記前面フレームに設けられると共に前記収納空間内に設けられる表示パネルと、
前記後部ケースと前記前面フレームとにそれぞれ設けられ、相互に対応するように配置される２つの磁気部材と、を含み、
前記後部ケースと前記前面フレームとは前記２つの磁気部材の磁力によって引き付けられ、互いに組み合わせられることを特徴とする、ノートパソコンの表示部。
【請求項２】
前記２つの磁気部材は磁石であることを特徴とする、請求項１に記載のノートパソコンの表示部。
【請求項３】
前記磁気部材の１つは磁石であり、もう１つの前記磁気部材は磁気金属部材であることを特徴とする、請求項１に記載のノートパソコンの表示部。
【請求項４】
前記２つの磁気部材は、前記後部ケースと前記前面フレームの縁端とにそれぞれ設けられることを特徴とする、請求項１に記載のノートパソコンの表示部。
【請求項５】
前記２つの磁気部材の設置箇所は、前記ノートパソコンにあるハードディスクから離れていることを特徴とする、請求項４に記載のノートパソコンの表示部。
【請求項６】
後部ケースと、
その材質は磁気金属材料であって、前記後部ケースと互いに組み合わされ、内部に収納空間を構成する前面フレームと、
前記前面フレームに設けられると共に前記収納空間内に設けられる表示パネルと、
前記後部ケース上に設けられる磁気部材と、を含み、
前記後部ケースは前記磁気部材の磁力によって引き付けられ、互いに組み合わせられることを特徴とする、ノートパソコンの表示部。
【請求項７】
前記磁気部材は磁石であることを特徴とする、請求項６に記載のノートパソコンの表示部。
【請求項８】
前記磁気部材は前記後部ケースの縁端に設けられることを特徴とする、請求項６に記載のノートパソコンの表示部。
【請求項９】
前記２つの磁気部材の設置箇所は前記ノートパソコンにあるハードディスクから離れていることを特徴とする、請求項８に記載のノートパソコンの表示部。
【発明の詳細な説明】
【技術分野】
【０００１】
本発明は、磁気部材の組み立て及び分解を可能とするノートパソコンの表示部に関する。
【背景技術】
【０００２】
近年、コンピュータ工業の発展によって、関連する電子機器は日々精密になっている。現在の電子装置のトレンドは、演算能力により優れた機能を求めることによりユーザーの使用ニーズを満たす以外に、軽量且つ薄型であることが求められており、ポータブル電子装置の現在の研究開発の重要点である。ノートパソコンを例にすると、現在ノートパソコンに応用されるディスプレイの殆どは液晶ディスプレイ（liquid crystal display：LCD）である。液晶ディスプレイには高画質、小体積、軽重量、低電圧駆動及び低消費電力などのメリットがあるため、ディスプレイの主流形態となっている。
【０００３】
液晶ディスプレイを搭載するノートパソコンにおいて、その表示部（ディスプレイの主体部分）は後部ケース（俗称はＡ部材）、前面フレーム（俗称はＢ部材）及び液晶ディスプレイを含む。液晶ディスプレイは前面フレーム上に組み立てられ、液晶パネルと前面フレームは後部ケース上に固定され、前面フレームはヒンジ（hinge）によって本体と互いにピボットされる。
【先行技術文献】
【特許文献】
【０００４】
【特許文献１】台湾実用新案登録第２０７０５１号
【発明の概要】
【発明が解決しようとする課題】
【０００５】
しかしながら、前述した従来の技術では、現在のノートパソコンの液晶ディスプレイの組み立てにおいて、前面フレームは外観の考慮や構造制限などの要因となり、表示部をねじ無し（screwless）設計にすることは難しい。従って、現在のノートパソコンの外観は前面フレーム上で固定される複数のねじによって美感が損なわれている。また、ノートパソコンを一定の時間使用すると、外に露出しているねじ穴にゴミがたまる可能性がある。ねじは空気と接触するため、さびが生じ、スムーズに表示部を組み立て及び分解ができないといった問題が発生してしまう。
【０００６】
上述のねじで組み立てられるパソコン装置の表示部によって生じる問題を解決するため、係合機構によって後部ケース（Ａ部材）と前面フレーム（Ｂ部材）とを組み合わせる固定手段が考えられる。従来の係合機構によって上述のねじ固定方式が生じる美感の問題を解決するが、表示部の後部ケースと前面フレームとを分解する点が係合機構によって生じる問題である。分解を行うには特定の手工具が必要であり、さらに分解過程において、加える力が不適切なため係合機構が割れてしまうという問題が起きないよう注意する必要がある。
【０００７】
これ以外に、接着テープを使用し、ノートパソコンの表示部の後部ケースと前面フレームとを張り合わせる方法もあるが、接着テープで表示部を組み合わせる方法は表示部の分解がしにくいという問題が存在する。さらに、後部ケースと前面フレームとを分解した後、接着テープは粘着効果を失う。後部ケースと前面フレームとをしっかりと組み合わせるために、後部ケースと前面フレームとを再度組み立てる前に接着テープで補う必要がある。
【０００８】
上述のねじ固定、係合機構、接着テープなどによってノートパソコンの表示部を結合させる各種方法は、表示部を組み立て及び分解する過程において、複雑且つ不便である。そこで、本発明者は上記の欠点が改善可能と考え、鋭意検討を重ねた結果、合理的設計で上記の課題を効果的に改善する本発明の提案に到った。
【０００９】
本発明は、このような従来の問題に鑑みてなされたものである。上記課題解決のため、本発明は、従来技術の電子装置のケースの美感が十分でなく、ケースの組み立て及び分解過程が十分便利ではないなどの制限を解決するノートパソコンの表示部を提供することを主目的とする。
【課題を解決するための手段】
【００１０】
上述した課題を解決し、目的を達成するために、本発明に係るノートパソコンの表示部は
後部ケースと、
前記後部ケースと互いに組み合わされ、内部に収納空間を構成する前面フレームと、
前記前面フレームに設けられると共に前記収納空間内に設けられる表示パネルと、
前記後部ケースと前記前面フレーム上にそれぞれ設けられ、それぞれの設置位置は相互に対応する２つの磁気部材と、を含み、
前記後部ケースと前記前面フレームとは前記２つの磁気部材の磁力によって引き付けられ、互いに組み合わせられることを特徴とする。
【００１１】
更に、本発明に係るノートパソコンの表示部は
後部ケースと、
その材質は磁気金属材料であって、前記後部ケースと互いに組み合わされ、内部に収納空間を構成する前面フレームと、
前記前面フレームに設けられると共に前記収納空間内に設けられる表示パネルと、
前記後部ケース上に設けられる磁気部材と、を含み、
前記後部ケースは前記磁気部材の磁力によって引き付けられ、互いに組み合わせられることを特徴とする。
【発明の効果】
【００１２】
本発明の磁気部材を有する設置によれば、ノートパソコンの表示部の後部ケースと前面フレームとは簡単且つ素早い組み立て及び分解が可能となり、特定の手工具を使用することなく表示部の組み立て分解工程を行うことができ、同時にノートパソコンの外観の完全性を具え、全体デザインの美感度を高めることができる。
【図面の簡単な説明】
【００１３】
【図１】本発明のノートパソコンによる第一実施形態の傾斜概略図である。
【図２】本発明のノートパソコンによる第一実施形態の表示部の分解概略図である。
【図３】本発明のノートパソコンによる第一実施形態の表示部の断面概略図である。
【図４】本発明のノートパソコンによる第一実施形態の傾斜概略図である。
【図５】本発明のノートパソコンによる第二実施形態の表示部の分解概略図である。
【図６】本発明のノートパソコンによる第二実施形態の表示部の断面概略図である。
【図７】本発明のノートパソコンによる第二実施形態の傾斜概略図である。
【発明を実施するための形態】
【００１４】
以下、図面を参照して本発明を実施するための形態について詳細に説明する。なお、本発明は、以下に説明する実施形態に限定されるものではない。
【００１５】
（第一実施形態）
まず、本発明のノートパソコンの表示部の第一実施形態について説明する。図１から図４において、本発明の第一実施形態のノートパソコンの表示部の構成を示す。なお、図１ないし図４は、本発明の第一実施形態によるノートパソコン及び表示部の傾斜概略図である。図１ないし図４に示すように、本発明の第一実施形態のノートパソコン３００は互いにピボットされる表示部１００及び本体２００を含み、表示部１００は本体２００に対してオープンの位置とクローズの位置とにピボットされるため、ユーザーが使用する或いは携帯する際に便利である。本体２００内部には、マザーボードとその上に電気的に設置される複数の電子部材（図示せず）とが設けられる。電子部材は、例えば中央処理装置、グラフィックチップ、サウス／ノースブリッジチップ（south/north bridge chip）であり、これによってノートパソコン３００の初期設定機能がスムーズに行われる。
【００１６】
本実施形態の表示部１００は、後部ケース１１０と、前面フレーム１２０と、表示パネル１３０と、少なくとも２つの磁気部材１４０と、を含む。後部ケース１１０は業界でＡ部材と呼ばれているものであり、前面フレーム１２０は業界でＢ部材と呼ばれているものである。後部ケース１１０は長方形の金属薄板であり、前面フレーム１２０は中空のフレームである。後部ケース１１０と前部フレーム１２０とは互いに組み合わされ、その内部に収納空間を構成する。本実施形態の表示パネル１３０は液晶パネル（liquid crystal display, LCD）であるが、これに限定されるものではない。表示パネル１３０は前面フレーム１２０に設けられると共に収納空間内に収納され、前面フレーム１２０の中空部分だけによって表示パネル１３０が露出される。
【００１７】
本実施形態の磁気部材１４０は、それぞれ後部ケース１１０及び前面フレーム１２０の縁端箇所に設けられ、磁気部材１４０は間隔を置いてそれぞれ配置され、後部ケース１１０上に位置する磁気部材１４０の各設置箇所は前部フレーム１２０上の磁気部材１４０の各配置箇所と対応する。
【００１８】
本発明の実施形態の磁気部材１４０は全て磁石である、または後部ケース１１０上に位置する磁気部材１４０は磁石であり前部フレーム１２０上の磁気部材１４０は、例えば鉄、コバルト、ニッケル及びその合金材料からなる磁気金属部材であるが、実施形態はこれに限定されるものではない。もしくは、前面フレーム１２０上の磁気部材１４０は磁石であり、後部ケース１１０上に位置する磁気部材１４０は、例えば、鉄、コバルト、ニッケル及びその合金材料からなる磁気金属部材であってもよい。
【００１９】
ちなみに、本発明の磁気部材１４０の設置数、配置間隔及び材質種類は上述の各実施形態に限定されず、当業者は実際に使用ニーズや設計ニーズに基づき、磁気部材１４０の数、配置間隔及び材質種類を変更することができる。最も重要な点は、図３に示す通り、後部ケース１１０上の磁気部材１４０と前面フレーム１２０上の磁気部材１４０とが磁力によって互いに引き付けあう点である。これによって、後部ケース１１０と前面フレーム１２０とが磁気部材１４０の磁力によって互いに引き付けられ、組み合わせられ、ねじ無し（screwless）でノートパソコン３００の表示部１００を組み立てられる。ユーザーは磁気部材１４０の磁力と略相同な力を加えるだけで、表示部１００を開くことができ、同時に組み立て及び分解工程を素早く行うことができるため便利であるというメリットを兼ね備える。
【００２０】
さらに、図４に示すように、本実施形態の磁気部材１４０の配置箇所はノートパソコン３００に配置されるハードディスク（HDD, hard disk driver）３１０から離れており、磁気部材１４０の磁力がハードディスク３１０の磁気ヘッドや磁気領域の正常動作に影響を与えることを防ぐことが可能となる。同様に、ハードディスク３１０の影響を考慮するだけでなく、本発明の磁気部材１４０の配置箇所は本体２００内部の磁気特性を有する電子部材から離れるよう考慮する必要がある。
【００２１】
（第二実施形態）
次に、本発明のノートパソコンの表示部の第二実施形態について説明する。図５から図７において、本発明の第二実施形態のノートパソコンの表示部構成を示す。なお、図５及び図７は本発明の第二実施形態によるノートパソコンとその表示部の傾斜概略図である。図５及び図７に示すように、本発明の第二実施形態のノートパソコン３００は互いにピボットされる表示部１００及び本体２００を含む。表示部１００は本体２００に対してオープンの位置とクローズの位置とにピボットされるため、ユーザーが使用する、或いは携帯するのに便利である。本体２００内部にはマザーボードとその上に電気的に設置される複数の電子部材（図示せず）が設けられる。電子部材は、例えば中央処理装置、グラフィックチップ、サウス／ノースブリッジチップであり、これによりノートパソコン３００の初期設定機能がスムーズに行われる。
【００２２】
本発明の第二実施形態の表示部１００は、後部ケース１１０と、前面フレーム１２０と、表示パネル１３０と、少なくとも１つの磁気部材１４０とを含み、後部ケース１１０は業界でＡ部材と呼ばれているものであり、前面フレーム１２０は業界でＢ部材と呼ばれているものである。後部ケース１１０は長方形の金属薄板であり、前面フレーム１２０は中空のフレームである。前部フレーム１２０の材質は、例えば鉄、コバルト、ニッケル及びその合金材料である磁気金属材料であるが、これに限定されるものではない。後部ケース１１０と前面フレーム１２０とは互いに結合され、その内部には収納空間が構成される。本実施形態の表示パネル１３０は液晶パネル（liquid crystal display, LCD）であるが、これに限定されるものではない。表示パネル１３０は前面フレーム１２０に設けられると共に収納空間内に収納され、前面フレーム１２０の中空部分だけによって表示パネル１３０が露出される。
【００２３】
本実施形態の複数の磁気部材１４０は後部ケース１１０の縁端箇所に設けられ、磁気部材１４０はそれぞれ間隔を置いて配置される。尚、磁気部材１４０は磁石である。ちなみに、本発明の磁気部材１４０の設置数及び配置間隔は上述の実施形態に限定されず、本発明の属する技術の分野における通常の知識を有する当業者は、実際の使用ニーズや設計ニーズに基づき、磁気部材１４０の数及び配置間隔を変更することができる。最も重要な点は、図６に示す通り、後部ケース１１０上に位置する磁気部材１４０と磁気金属材料とによって製造される前面フレーム１２０は磁力によって互いに引き付けあう点である。これによって、後部ケース１１０は磁気部材１４０の磁力によって引き付けられ、互いに組み合わせられ、ねじなし（screwless）でノートパソコン３００の表示部１００を組み立てるという目的を達成し、ユーザーは磁気部材１４０の磁力と略相同な力を加えるだけで、表示部１００を開くことができ、同時に組み立て及び分解工程を素早く行えるため、便利であるというメリットを兼ね備える。
【００２４】
また、図７に示すように、本実施形態の磁気部材１４０の配置箇所はノートパソコン３００にあるハードディスク（HDD, hard disk driver）３１０から離れており、磁気部材１４０の磁力がハードディスク３１０の磁気ヘッドや磁気領域の正常作動に影響を与えることを避ける。同様に、ハードディスク３１０への影響を考慮するだけではなく、本発明の磁気部材１４０は本体２００内部の磁気特性を有する電子部材から離れるように配置する必要がある。
【００２５】
上述したように、本発明のノートパソコンの表示部は磁気部材の配置により、いかなる手工具を使用する必要がなく、後部ケースと前面フレームを簡単且つ素早く分解でき、同時にノートパソコンの全体の美観も兼ね備える。
【００２６】
以上、本発明の実施形態について図面を参照して詳述したが、具体的な構成はこの実施形態に限られるものではなく、本発明の要旨を逸脱しない範囲の設計変更等も含まれる。
【符号の説明】
【００２７】
１００  …  表示部
１１０  …  後部ケ−ス
１２０  …  前面フレーム
１３０  …  表示パネル
１４０  …  磁気部材
２００  …  本体
３００  …  ノートパソコン
３１０  …  ハードディスク
【図１】
2014134757.tif 000003
【図２】
2014134757.tif 000004
【図３】
2014134757.tif 000005
【図４】
2014134757.tif 000006
【図５】
2014134757.tif 000007
【図６】
2014134757.tif 000008
【図７】
2014134757.tif 000009